(57)【要約】【課題】所定の映像コンテンツが録画された後に関連コンテンツが表示されるようにするための技術を提供する。これにより、例えば、所定の映像コンテンツに対するユーザの評価などを考慮した関連コンテンツをユーザに提供する。【解決手段】所定の映像コンテンツに関連する関連コンテンツを取得する関連コンテンツ取得部と、前記所定の映像コンテンツが録画された後に前記関連コンテンツが表示されるように制御する表示制御部と、を備える、表示制御装置が提供される。【選択図】図１
2014057246.tif 000002
【特許請求の範囲】
【請求項１】
所定の映像コンテンツに関連する関連コンテンツを取得する関連コンテンツ取得部と、
前記所定の映像コンテンツが録画された後に前記関連コンテンツが表示されるように制御する表示制御部と、
を備える、表示制御装置。
【請求項２】
前記関連コンテンツ取得部は、録画対象を選択するための録画選択情報に応じて前記所定の映像コンテンツが録画対象として選択された場合、前記録画選択情報に応じた前記関連コンテンツを取得する、
請求項１に記載の表示制御装置。
【請求項３】
前記関連コンテンツ取得部は、再生対象を選択するための再生選択情報に応じて前記所定の映像コンテンツが再生対象として選択された場合、前記再生選択情報に応じた前記関連コンテンツを取得する、
請求項１に記載の表示制御装置。
【請求項４】
前記関連コンテンツ取得部は、事前登録情報に応じて前記所定の映像コンテンツが録画対象として選択された場合、前記事前登録情報に応じた前記関連コンテンツを取得する、
請求項１に記載の表示制御装置。
【請求項５】
前記関連コンテンツ取得部は、前記所定の映像コンテンツのメタデータに応じた前記関連コンテンツを取得する、
請求項１に記載の表示制御装置。
【請求項６】
前記関連コンテンツ取得部は、前記所定の映像コンテンツに関連する関連コンテンツとして再生対象の映像コンテンツに関連する関連コンテンツを取得する、
請求項１に記載の表示制御装置。
【請求項７】
前記関連コンテンツ取得部は、前記所定の映像コンテンツに関連する関連コンテンツとして最近に録画された所定の映像コンテンツに関連する関連コンテンツを取得する、
請求項１に記載の表示制御装置。
【請求項８】
前記表示制御部は、再生対象の映像コンテンツの前に前記関連コンテンツを挿入することにより前記再生対象の映像コンテンツに続いて前記関連コンテンツが表示されるように制御する、
請求項１に記載の表示制御装置。
【請求項９】
前記関連コンテンツ取得部は、再生対象の映像コンテンツに映像セグメントが含まれる場合、前記番組セグメントに関連する関連セグメントを取得し、
前記表示制御部は、前記所定の映像セグメントの表示タイミングに応じたタイミングにより前記関連セグメントが表示されるように制御する、
請求項１に記載の表示制御装置。
【請求項１０】
前記表示制御部は、再生対象の映像コンテンツを選択するための選択画面の所定位置に前記関連コンテンツが表示されるように制御する、
請求項１に記載の表示制御装置。
【請求項１１】
前記表示制御部は、再生対象の映像コンテンツに対する操作画面の所定位置に前記関連コンテンツが表示されるように制御する、
請求項１に記載の表示制御装置。
【請求項１２】
前記表示制御部は、前記所定の映像コンテンツに関連する関連コンテンツが複数存在する場合、当該複数の関連コンテンツそれぞれの優先順位を特定し、当該複数の関連コンテンツそれぞれが対応する優先順位に応じた位置に当該複数の関連コンテンツそれぞれが表示されるように制御する、
請求項１に記載の表示制御装置。
【請求項１３】
前記表示制御部は、前記所定の映像コンテンツの選択に利用された所定の情報に基づいて、前記複数の関連コンテンツそれぞれの優先順位を特定する、
請求項１２に記載の表示制御装置。
【請求項１４】
前記関連コンテンツ取得部は、前記所定の映像コンテンツに対して所定の認識処理が施された結果として得られた出演者に関連する関連コンテンツを取得する、
請求項１に記載の表示制御装置。
【請求項１５】
前記関連コンテンツ取得部は、前記所定の映像コンテンツに対する視聴者のコメントから抽出された抽出情報に関連する関連コンテンツを取得する、
請求項１に記載の表示制御装置。
【請求項１６】
前記表示制御部は、前記所定の映像コンテンツに含まれる広告コンテンツが早送り再生された場合には、当該広告コンテンツを示す情報が表示されるように制御する、
請求項１に記載の表示制御装置。
【請求項１７】
前記表示制御部は、前記所定の映像コンテンツに含まれる広告コンテンツが所定の条件を満たす場合には、当該広告コンテンツが表示されるように制御し、前記所定の条件を満たさない場合には、当該広告コンテンツの表示をスキップさせる、
請求項１に記載の表示制御装置。
【請求項１８】
前記表示制御部は、前記関連コンテンツが表示されるように制御した後、前記所定の映像コンテンツの再生中に前記表示制御装置が所定範囲外のサイトにアクセスした場合には、前記所定の映像コンテンツの再生が停止されるように制御する、
請求項１に記載の表示制御装置。
【請求項１９】
所定の映像コンテンツが録画されるように制御する記録制御部と、
前記所定の映像コンテンツが表示されるように制御する表示制御部と、
を備え、
前記記録制御部により前記所定の映像コンテンツが録画された後に前記所定の映像コンテンツに関連する関連コンテンツが表示されるように制御される、
記録制御装置。
【請求項２０】
所定の映像コンテンツに関連する関連コンテンツを取得することと、
前記所定の映像コンテンツが録画された後に前記関連コンテンツが表示されるように制御することと、
を含む、表示制御方法。
【発明の詳細な説明】
【技術分野】
【０００１】
本開示は、表示制御装置、記録制御装置および表示制御方法に関する。
【背景技術】
【０００２】
近年、所定の映像コンテンツに関連する関連コンテンツをユーザに提供する技術が存在する。かかる技術により、例えば、所定の映像コンテンツに関連する関連コンテンツに対する興味をユーザに持たせることができれば、ユーザの興味の幅を広げ、新たなビジネスを作り出すことも可能となる。関連コンテンツをユーザに提供する技術としては、例えば、以下の特許文献１により開示された技術が挙げられる。
【先行技術文献】
【特許文献】
【０００３】
【特許文献１】特開２０１０−２７３０８３号公報
【発明の概要】
【発明が解決しようとする課題】
【０００４】
しかしながら、所定の映像コンテンツに関連する関連コンテンツをユーザに提供する技術では、当該所定の映像コンテンツが録画される前に当該関連コンテンツがユーザに提供されるのが一般的である。そのため、所定の映像コンテンツに対するユーザの評価などを考慮した関連コンテンツをユーザに提供することができない。したがって、当該所定の映像コンテンツが録画された後に関連コンテンツが表示されるようにするための技術が提供されることが望ましい。
【課題を解決するための手段】
【０００５】
本開示によれば、所定の映像コンテンツに関連する関連コンテンツを取得する関連コンテンツ取得部と、前記所定の映像コンテンツが録画された後に前記関連コンテンツが表示されるように制御する表示制御部と、を備える、表示制御装置が提供される。
【０００６】
また、本開示によれば、所定の映像コンテンツが録画されるように制御する記録制御部と、前記所定の映像コンテンツが表示されるように制御する表示制御部と、を備え、前記記録制御部により前記所定の映像コンテンツが録画された後に前記所定の映像コンテンツに関連する関連コンテンツが表示されるように制御される、記録制御装置が提供される。
【０００７】
また、本開示によれば、所定の映像コンテンツに関連する関連コンテンツを取得することと、前記所定の映像コンテンツが録画された後に前記関連コンテンツが表示されるように制御することと、を含む、表示制御方法が提供される。
【発明の効果】
【０００８】
以上説明したように本開示によれば、所定の映像コンテンツが録画された後に当該所定の映像コンテンツに関連する関連コンテンツが表示されるようにするための技術を提供することが可能である。
【図面の簡単な説明】
【０００９】
【図１】本開示の実施形態に係る表示制御システムの構成例を示す図である。
【図２】本開示の実施形態に係るタブレットの構成例を示す図である。
【図３】本開示の実施形態に係る本体の構成例を示す図である。
【図４】関連コンテンツの取得例をリスト状に示した図である。
【図５】関連コンテンツの取得例をテーブル状に示した図である。
【図６】関連コンテンツ取得に使用されるキーワードの作成例（最近用いられたキーワードを用いる場合）を示す図である。
【図７】関連コンテンツ取得に使用されるキーワードの作成例（過去に使用されたキーワードを用いる場合）を示す図である。
【図８】関連コンテンツ取得に至るまでのデータの流れの一例を示す図である。
【図９】関連コンテンツ取得に至るまでの動作の流れの一例を示す図である。
【図１０】関連コンテンツの表示の一例（バナー広告を用いる場合）を示す図である。
【図１１】関連コンテンツの表示の一例（プリロール広告を用いる場合）を示す図である。
【図１２】番組コンテンツに含まれるＣＭをスキップさせる例を示す図である。
【図１３】番組コンテンツに含まれるＣＭを移動させる例を示す図である。
【図１４】関連コンテンツの表示の一例（再生対象の番組コンテンツと関連する関連コンテンツを用いる場合）を示す図である。
【図１５】番組コンテンツおよび関連コンテンツの表示タイミングの一例を示す図である。
【図１６】ＣＭをスキップさせた場合に表示されるＣＭ一覧の例を示す図である。
【図１７】関連コンテンツの表示の一例（再生対象の番組コンテンツに関連する関連コンテンツを用いる場合）を示す図である。
【図１８】本開示の実施形態に係る表示制御システムの動作（メイン動作）の流れの例を示すフローチャートである。
【図１９】本開示の実施形態に係る表示制御システムの動作（再生対象の番組コンテンツに連動する関連コンテンツを用いる場合）の流れの例を示すフローチャートである。
【図２０】本開示の実施形態に係る表示制御システムの動作（再生対象の番組コンテンツに連動する関連コンテンツを用いる場合）の流れの例を示すフローチャートである。
【図２１】本開示の実施形態に係る表示制御システムの動作（再生対象の番組コンテンツに連動する関連コンテンツを用いる場合）の流れの例を示すフローチャートである。
【図２２】本開示の実施形態に係る表示制御システムの動作（キーワードに応じた関連コンテンツを用いる場合）の流れの例を示すフローチャートである。
【図２３】本開示の実施形態に係る表示制御システムの動作（キーワードに応じた関連コンテンツを用いる場合）の流れの例を示すフローチャートである。
【発明を実施するための形態】
【００１０】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１１】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１２】
また、以下に示す項目順序に従って当該「発明を実施するための形態」を説明する。
１．表示制御システムの構成例
２．タブレットの機能構成例
３．本体の機能構成例
４．関連コンテンツ取得の説明
５．関連コンテンツの表示制御の説明
６．表示制御システムの動作例
７．むすび
【００１３】
＜＜１．表示制御システムの構成例＞＞
まず、本開示の実施形態に係る表示制御システム１の構成例について説明する。図１は、本開示の実施形態に係る表示制御システム１の構成例を示す図である。図１に示したように、表示制御システム１は、表示制御装置の一例としてのタブレット１０と記録制御装置の一例としての本体２０とを備える。その他、表示制御システム１は、表示装置３０、サーバ系４０、アクセスポイント５０などを備える。
【００１４】
以下では、表示制御装置の一例としてタブレット１０を用いて説明するが、タブレット１０は表示制御装置の一例に過ぎないため、タブレット１０の代わりに表示制御装置が用いられてもよい。また、記録制御装置の一例として本体２０を用いて説明するが、本体２０は記録制御装置の一例に過ぎないため、本体２０の代わりに記録制御装置が用いられてもよい。
【００１５】
タブレット１０は、ユーザ操作に応じた無線信号を本体２０に対して送信することにより本体２０を遠隔操作することが可能である。例えば、タブレット１０は、番組コンテンツの録画、録画された番組コンテンツの再生、番組コンテンツの検索などを遠隔操作により行うことが可能である。番組コンテンツの録画は、番組コンテンツの予約録画であってもよい。番組コンテンツは、例えば、少なくとも所定の映像コンテンツを含んでおり（少なくとも画像を含むコンテンツであり）、音声をさらに含むコンテンツであってもよいし、他の形式のデータを含んでもよい。
【００１６】
また、図１に示したように、タブレット１０は、例えば、アクセスポイント５０を介してネットワーク６０に接続することが可能である。タブレット１０によるネットワーク６０への接続は、無線によりなされてもよいし有線によりなされてもよい。タブレット１０は、スマートフォンであってもよいし、携帯電話であってもよいし、ＰＣ（Ｐｅｒｓｏｎａｌ  Ｃｏｍｐｕｔｅｒ）であってもよいし、他の端末であってもよい。
【００１７】
本体２０は、タブレット１０から受信した無線信号に基づいて各種の動作を行うことが可能である。例えば、本体２０は、タブレット１０による遠隔操作により番組コンテンツの録画、録画された番組コンテンツの再生、番組コンテンツの検索などを行うことが可能である。本体２０は、例えば、放送局から番組コンテンツを受信することができる。
【００１８】
また、図１に示したように、本体２０は、例えば、ネットワーク６０に接続することが可能である。本体２０によるネットワーク６０への接続は、無線によりなされてもよいし有線によりなされてもよい。本体２０の種類は、表示装置３０による番組コンテンツの表示を制御することが可能であれば特に限定されないが、例えば、ＨＤＤ（Ｈａｒｄ  Ｄｉｓｋ  Ｄｒｉｖｅ）レコーダであってもよいし、ＢＤ（Ｂｌｕ−Ｒａｙ  Ｄｉｓｃ）レコーダであってもよい。
【００１９】
表示装置３０は、本体２０による表示制御に従って、番組コンテンツを表示することが可能である。表示装置３０は、例えば、テレビジョン装置に相当するが、番組コンテンツを表示することが可能な装置であれば、表示装置３０の種類は特に限定されない。図１に示した例では、表示装置３０と本体２０とは有線により接続されているが、表示装置３０と本体２０とは無線により接続されていてもよい。
【００２０】
サーバ系４０は、図１に示したように、例えば、関連コンテンツサーバ４１および後メタサーバ４２を含んで構成されている。ここで、本明細書においては、番組コンテンツが放送される前に当該番組コンテンツに付加されたメタデータ（例えば、ＥＰＧ（Ｅｌｅｃｔｒｏｎｉｃ  Ｐｒｏｇｒａｍ  Ｇｕｉｄｅ）データなど）を、特に「前メタ」と称することにする。一方、番組コンテンツが放送された後に当該番組コンテンツに付加されたメタデータ（例えば、放送中もしくは放送後に所定のオペレーターによって番組のコーナーや番組内で紹介された店舗などの情報を番組の進行時間に合わせて生成したメタデータや、当該番組コンテンツに対して書き込まれた視聴者によるコメントのメタデータなど）を、特に「後メタ」と称することにする。
【００２１】
関連コンテンツサーバ４１は、番組コンテンツに関連する関連コンテンツを配信するサーバである。ここで、関連コンテンツは、番組コンテンツと同様に、例えば、少なくとも画像を含むコンテンツであり、音声をさらに含むコンテンツであってもよいし、他の形式のデータを含んでもよい。
【００２２】
後メタサーバ４２は、後メタを配信するサーバである。図１に示した例では、関連コンテンツサーバ４１と後メタサーバ４２とが別体に構成されているが、関連コンテンツサーバ４１と後メタサーバ４２とは一体化されていてもよい。また、図１に示した例では、関連コンテンツサーバ４１および後メタサーバ４２は、タブレット１０とネットワーク６０を介して接続されているが、関連コンテンツサーバ４１および後メタサーバ４２の少なくともいずれか一方は、タブレット１０の内部に備えられていてもよいし、専用線により接続されていてもよい。
【００２３】
以上、本開示の実施形態に係る表示制御システム１の構成例について説明した。
【００２４】
＜＜２．タブレットの機能構成例＞＞
続いて、本開示の実施形態に係るタブレット１０の機能構成例について説明する。図２は、本開示の実施形態に係るタブレット１０の機能構成例を示す図である。図２に示すように、タブレット１０を構成する各機能ブロックは、データバスＤＢ、コントロールバスＣＢに接続されている。
【００２５】
また、図２に示すように、タブレット１０は、ネットワークＩ／Ｆ（ＩｎｔｅｒＦａｃｅ）部１１０、外部メモリＩ／Ｆ１２０、外部メモリ１２１、記録制御部１３１、情報処理部１３２、関連コンテンツ取得部１３３、再生処理部１３４および表示制御部１３５を備える。また、タブレット１０は、タッチパネル入力処理部１３６、画像音声特徴抽出部１３７、タッチパネルディスプレイ１３８、通信Ｉ／Ｆ部１４０、メモリ部１５０およびシステムコントローラ１６０を備える。
【００２６】
ネットワークＩ／Ｆ部１１０は、アクセスポイント５０を介してネットワーク６０に接続する機能を有している。外部メモリ１２１は、タブレット１０から取り外し可能な記録媒体であり、外部メモリＩ／Ｆ１２０は、外部メモリ１２１に対するデータの読み書きを行う機能を有している。記録制御部１３１は、外部メモリ１２１およびメモリ部１５０に対するデータの読み書きを制御する機能を有している。
【００２７】
情報処理部１３２は、各種の情報処理を行う機能を有している。例えば、情報処理部１３２は、番組コンテンツからＣＭ（Ｃｏｍｍｅｒｃｉａｌ  Ｍｅｓｓａｇｅ）区間を検出する機能を有していてもよい。例えば、情報処理部１３２は、番組コンテンツに付されたメタデータに基づいてＣＭ区間を検出してもよいし、画像音声特徴抽出部１３７により抽出された特徴量に基づいてＣＭ区間を判定してもよい。以下では、ＣＭを広告コンテンツと称する場合もある。
【００２８】
関連コンテンツ取得部１３３は、番組コンテンツに関連する関連コンテンツを取得する機能を有している。ここで、関連コンテンツ取得部１３３がどの番組コンテンツに関連する関連コンテンツを取得するかに関しては、様々な場合が想定される。そのため、関連コンテンツ取得部１３３がどの番組コンテンツに関連する関連コンテンツを取得するかに関しては、後に詳細に説明することとする。再生処理部１３４は、関連コンテンツを再生する機能を有している。
【００２９】
表示制御部１３５は、番組コンテンツが録画された後に関連コンテンツが表示されるように制御する機能を有している。上記したように、番組コンテンツに関連する関連コンテンツをユーザに提供する技術では、当該番組コンテンツが録画される前に当該関連コンテンツがユーザに提供されるのが一般的である。そのため、番組コンテンツに対するユーザの評価などを考慮した関連コンテンツをユーザに提供することができない。本実施形態によれば、当該番組コンテンツが録画された後に関連コンテンツが表示されるようにするための技術が提供される。
【００３０】
タッチパネル入力処理部１３６は、タッチパネルディスプレイ１３８に入力された指定座標に基づいてユーザ操作を認識し、認識したユーザ操作をシステムコントローラ１６０に出力する機能を有する。画像音声特徴抽出部１３７は、画像音声データから所定の画像音声特徴量を抽出する。例えば、画像特徴量として、色特徴、輝度特徴、テクスチャ特徴などの大域的特徴量のほかハリスコーナー検出によるオブジェクトのコーナー特徴、ＳＩＦＴ（Scale-invariant feature transform）などの局所的特徴量が考えられる。音声特徴量として、所定区間長の平均音声レベル、所定周波数帯域のパワースペクトルなどが考えられる。これら所定の画像特徴量、音声特徴量に基づいて所定の認識処理（例えば、顔認識処理、音声認識処理など）を行う。画像音声特徴抽出部１３７により抽出された特徴量は、例えば、番組コンテンツの出演者の判定に用いられてもよい。その他、画像音声特徴抽出部１３７により抽出された特徴量は、番組コンテンツのキーフレーム判定に用いられてもよい。
【００３１】
タッチパネルディスプレイ１３８は、表示制御部１３５による表示制御に従って、表示を行う機能を有している。また、タッチパネルディスプレイ１３８は、ユーザにより入力された指定座標を取得して、当該指定座標をタッチパネル入力処理部１３６に出力する機能を有している。
【００３２】
なお、図２には、表示装置および入力装置の例として、タッチパネルディスプレイ１３８が示されているが、タッチパネルディスプレイ１３８の代わりに、別体に構成された表示装置と入力装置との組み合わせが用いられてもよい。かかる場合、図２に示した例では、タッチパネルディスプレイ１３８がタブレット１０と一体化されているが、表示装置はタブレット１０と別体に構成されていてもよいし、入力装置はタブレット１０と別体に構成されていてもよい。
【００３３】
通信Ｉ／Ｆ部１４０は、本体２０と通信を行う機能を有している。メモリ部１５０は、タブレット１０に内蔵された記録媒体であり、例えば、記録制御部１３１、情報処理部１３２、関連コンテンツ取得部１３３、再生処理部１３４、表示制御部１３５、タッチパネル入力処理部１３６、画像音声特徴抽出部１３７、システムコントローラ１６０などを動作させるためのプログラムを記憶することが可能である。また、メモリ部１５０は、プログラムによって使用される各種のデータを記憶することも可能である。
【００３４】
システムコントローラ１６０は、タブレット１０の内部に存在する機能ブロック全体を制御する機能を有している。なお、記録制御部１３１、情報処理部１３２、関連コンテンツ取得部１３３、再生処理部１３４、表示制御部１３５、タッチパネル入力処理部１３６、画像音声特徴抽出部１３７、システムコントローラ１６０などは、例えば、ＣＰＵ（Ｃｅｎｔｒａｌ  Ｐｒｏｃｅｓｓｉｎｇ  Ｕｎｉｔ）などのプロセッサに相当し得る。これらの機能ブロックは、例えば、メモリ部１５０により記憶されるプログラムが実行されることにより、その機能を発揮することができる。
【００３５】
以上、本開示の実施形態に係るタブレット１０の機能構成例について説明した。
【００３６】
＜＜３．本体の機能構成例＞＞
続いて、本開示の実施形態に係る本体２０の機能構成例について説明する。図３は、本開示の実施形態に係る本体２０の機能構成例を示す図である。図３に示すように、本体２０を構成する各機能ブロックは、データバスＤＢ、コントロールバスＣＢに接続されている。
【００３７】
また、図３に示すように、本体２０は、ネットワークＩ／Ｆ部２１０、アンテナ２２１を有するチューナ部２２０、記録媒体２３０、記録制御部２４１、情報処理部２４２、再生処理部２４３および表示制御部２４４を備える。また、本体２０は、画像音声特徴抽出部２４５、通信Ｉ／Ｆ部２５０、メモリ部２６０、ディスクドライブ部２７０、ディスク状記録媒体２７１およびシステムコントローラ２８０を備える。
【００３８】
ネットワークＩ／Ｆ部２１０は、ネットワーク６０に接続する機能を有している。チューナ部２２０は、アンテナ２２１により受信された放送波から所望の番組コンテンツを抽出する機能を有する。記録媒体２３０は、データベースに相当する。記録制御部２４１は、記録媒体２３０、メモリ部２６０およびディスク状記録媒体２７１に対するデータの読み書きを制御する機能を有している。
【００３９】
情報処理部２４２は、各種の情報処理を行う機能を有している。例えば、情報処理部２４２は、番組コンテンツからＣＭ区間を検出する機能を有していてもよい。例えば、情報処理部２４２は、番組コンテンツに付されたメタデータに基づいてＣＭ区間を検出してもよいし、画像音声特徴抽出部２４５により抽出された特徴量に基づいてＣＭ区間を判定してもよい。再生処理部２４３は、番組コンテンツを再生する機能を有している。表示制御部２４４は、番組コンテンツが表示装置３０により表示されるように表示装置３０を制御する機能を有している。
【００４０】
画像音声特徴抽出部２４５は、番組コンテンツにおける画像データ、音声データから所定の画像特徴量、音声特徴量の抽出を行う。例えば、画像特徴量として、色特徴、輝度特徴、テクスチャ特徴などの大域的特徴量のほかハリスコーナー検出によるオブジェクトのコーナー特徴、ＳＩＦＴ（Scale-invariant feature transform）などの局所的特徴量が考えられる。音声特徴量として、所定区間長の平均音声レベル、所定周波数帯域のパワースペクトルなどが考えられる。これら所定の画像特徴量、音声特徴量に基づいて所定の認識処理（例えば、顔認識処理、音声認識処理など）を行う。画像音声特徴抽出部２４５により抽出された特徴量は、例えば、番組コンテンツの出演者の判定に用いられてもよい。その他、画像音声特徴抽出部２４５により抽出された特徴量は、番組コンテンツのキーフレーム判定に用いられてもよい。また、これら特徴量を用いて同一コンテンツや類似コンテンツの検出処理を行う。
【００４１】
通信Ｉ／Ｆ部２５０は、タブレット１０と通信を行う機能を有している。メモリ部２６０は、本体２０に内蔵された記録媒体であり、例えば、記録制御部２４１、情報処理部２４２、再生処理部２４３、表示制御部２４４、画像音声特徴抽出部２４５、システムコントローラ２８０などを動作させるためのプログラムを記憶することが可能である。また、メモリ部２６０は、プログラムによって使用される各種のデータを記憶することも可能である。
【００４２】
ディスクドライブ部２７０は、ディスク状記録媒体２７１に録画された番組コンテンツを駆動する機能を有する。ディスク状記録媒体２７１は、番組コンテンツを記録する機能を有している。例えば、録画予約された番組コンテンツは、設定された録画開始時刻にディスク状記録媒体２７１への録画が開始され、設定された録画終了時刻にディスク状記録媒体２７１への録画が終了される。ただし、録画開始は録画開始操作がなされたときに開始され、録画終了は録画終了操作がなされたときに終了されてもよい。
【００４３】
システムコントローラ２８０は、本体２０の内部に存在する機能ブロック全体を制御する機能を有している。なお、記録制御部２４１、情報処理部２４２、再生処理部２４３、表示制御部２４４、画像音声特徴抽出部２４５、システムコントローラ２８０などは、例えば、ＣＰＵなどのプロセッサに相当し得る。これらの機能ブロックは、例えば、メモリ部２６０により記憶されるプログラムが実行されることにより、その機能を発揮することができる。
【００４４】
以上、本開示の実施形態に係る本体２０の機能構成例について説明した。
【００４５】
＜＜４．関連コンテンツ取得の説明＞＞
続いて、本開示の実施形態に係るタブレット１０による関連コンテンツ取得の詳細について説明する。上記したように、タブレット１０の関連コンテンツ取得部１３３は、番組コンテンツに関連する関連コンテンツを取得するが、関連コンテンツ取得部１３３がどの番組コンテンツに関連する関連コンテンツを取得するかに関しては、様々な場合が想定される。例えば、関連コンテンツ取得部１３３は、番組コンテンツに関連する関連コンテンツとして再生対象の番組コンテンツに関連する関連コンテンツを取得してもよい。再生対象の番組コンテンツに対しては、ユーザが強い興味を持っている可能性が高く、当該番組コンテンツに関連する関連コンテンツにも興味を持つ可能性が高いからである。
【００４６】
関連コンテンツ取得部１３３は、番組コンテンツに関連する関連コンテンツとして最近に録画された番組コンテンツに関連する関連コンテンツを取得してもよい。再生対象の番組コンテンツと同様に、最近に録画された番組コンテンツに対しては、ユーザが強い興味を持っている可能性が高く、当該番組コンテンツに関連する関連コンテンツにも興味を持つ可能性が高いからである。しかしながら、関連コンテンツ取得部１３３がどの番組コンテンツに関連する関連コンテンツを取得するかに関しては、これらの取得手法に限定されない。
【００４７】
このような番組コンテンツに関連する関連コンテンツをどのように選択するかといった点も特に限定されない。例えば、関連コンテンツ取得部１３３は、録画対象を選択するための録画選択情報に応じて番組コンテンツが録画対象として選択された場合、録画選択情報に応じた関連コンテンツを取得してもよい。かかる関連コンテンツに対しては、ユーザが強い興味を持つ可能性が高いからである。なお、以下では、録画選択情報の例として、録画対象を選択するために用いられたキーワード（以下、「録画検索キーワード」）を用いることにする。
【００４８】
また、例えば、関連コンテンツ取得部１３３は、再生対象を選択するための再生選択情報に応じて番組コンテンツが再生対象として選択された場合、再生選択情報に応じた関連コンテンツを取得してもよい。かかる関連コンテンツに対しては、ユーザが強い興味を持つ可能性が高いからである。なお、以下では、再生選択情報の例として、再生対象を選択するために用いられたキーワード（以下、「再生検索キーワード」）を用いることにする。
【００４９】
また、例えば、関連コンテンツ取得部１３３は、事前登録情報に応じて番組コンテンツが録画対象として選択された場合、事前登録情報に応じた関連コンテンツを取得してもよい。かかる関連コンテンツに対しては、ユーザが強い興味を持つ可能性が高いからである。また、例えば、関連コンテンツ取得部１３３は、番組コンテンツのメタデータに応じた関連コンテンツを取得してもよい。かかる関連コンテンツに対しては、ユーザが強い興味を持つ可能性が高いからである。なお、メタデータは、上記したように、いわゆる「前メタ」であってもよいし、「後メタ」であってもよい。
【００５０】
また、例えば、関連コンテンツ取得部１３３は、番組コンテンツに対して所定の認識処理（例えば、顔認識処理、音声認識処理など）が施された結果として得られた出演者に関連する関連コンテンツを取得してもよい。あるいは、関連コンテンツ取得部１３３は、番組コンテンツに対する視聴者のコメントから抽出された抽出情報（例えば、出演者の名称、番組において紹介された商品の名称、番組に登場する場所の名称など）に関連する関連コンテンツを取得してもよい。
【００５１】
図４は、関連コンテンツの取得例をリスト状に示した図である。また、図５は、関連コンテンツの取得例をテーブル状に示した図である。なお、図４および図５に示した例は、関連コンテンツ取得の一例を示したに過ぎないため、関連コンテンツの取得手法は、図４および図５に示した例に限定されないことは言うまでもない。
【００５２】
まず、図４に示したように、本体２０がユーザにより直接指定された番組コンテンツを再生する場合（図４に示した（１）の例）としては、事前登録情報に基づいて録画対象として選択された番組コンテンツを再生する場合（図４に示した（１−１）の例）や、ユーザが番組コンテンツを直接指定して録画した場合（図４に示した（１−２）の例）などが挙げられる。
【００５３】
例えば、タブレット１０の関連コンテンツ取得部１３３は、前者の場合（図４に示した（１−１）の例）には、事前登録情報に応じた関連コンテンツを取得すればよい。また、例えば、タブレット１０の関連コンテンツ取得部１３３は、後者の場合（図４に示した（１−２）の例）には、番組コンテンツのメタデータに応じた関連コンテンツを取得すればよい。メタデータは、上記したように、いわゆる「前メタ」であってもよいし、「後メタ」であってもよい。
【００５４】
また、図４に示したように、本体２０がキーワードに基づいて選択された番組コンテンツを再生する場合（図４に示した（２）の例）としては、番組コンテンツが録画検索キーワードのみに関連する場合（図４に示した（２−１）の例、図５に示した「１」の例）や、録画検索キーワードと再生検索キーワードとが同じ場合（図４に示した（２−２）の例、図５に示した「２」の例）などが挙げられる。
【００５５】
さらに、本体２０がキーワードに基づいて選択された番組コンテンツを再生する場合（図４に示した（２）の例）としては、録画検索キーワードと再生検索キーワードとが異なる場合（図４に示した（２−３）の例、図５に示した「３」の例）や、番組コンテンツが再生検索キーワードのみに関連する場合（図４に示した（２−４）の例、図５に示した「４」の例）などが挙げられる。
【００５６】
例えば、タブレット１０の関連コンテンツ取得部１３３は、１番目の場合（図４に示した（２−１）の例、図５に示した「１」の例）には、録画検索キーワードに応じた関連コンテンツを取得すればよい。また、例えば、タブレット１０の関連コンテンツ取得部１３３は、２番目の場合（図４に示した（２−２）の例、図５に示した「２」の例）には、録画検索キーワードと再生検索キーワードとのいずれかのキーワードに応じた関連コンテンツを取得すればよい。
【００５７】
また、例えば、タブレット１０の関連コンテンツ取得部１３３は、３番目の場合（図４に示した（２−３）の例、図５に示した「３」の例）には、録画検索キーワードと再生検索キーワードとのうち共通キーワードに応じた関連コンテンツを取得すればよい。また、例えば、タブレット１０の関連コンテンツ取得部１３３は、４番目の場合（図４に示した（２−４）の例、図５に示した「４」の例）には、再生検索キーワードに応じた関連コンテンツを取得すればよい。
【００５８】
以上に示したような手法によって関連コンテンツの検索に用いるキーワードを選択することが想定されるが、関連コンテンツの検索に用いるキーワードの作成の手法についても様々な手法が想定され、特に限定されない。続いては、関連コンテンツの検索に用いるキーワードの作成例について説明する。
【００５９】
図６は、関連コンテンツ取得に使用されるキーワードの作成例（最近用いられたキーワードを用いる場合）を示す図である。図６に示したように、過去にキーワード「南川景子」に応じて選択された番組コンテンツａ１が録画され、この番組コンテンツａ１が現在再生対象として選択されている場合を想定する。かかる場合においては、例えば、キーワードに応じた関連コンテンツが存在しない場合や、キーワードに応じた関連コンテンツの数が所望の数に達していない場合（同じ関連コンテンツが繰り返されてしまう場合）などが想定される。
【００６０】
このような場合には、関連コンテンツ取得部１３３は、最近用いられたキーワード（例えば、最近用いられた録画検索キーワード）に応じた関連コンテンツを追加的に取得してもよい。例えば、最近用いられたキーワードが複数存在する場合には、その中から最も多く用いられているキーワードに応じた関連コンテンツが取得されてもよい。図６に示した例では、最近用いられたキーワードのうち、最も多く用いられている「ＡＫＣ」に応じた関連コンテンツが追加的に取得されている。
【００６１】
なお、図６に示した例では、録画検索キーワードと最近用いられたキーワードとを同一の優先度に設定して関連コンテンツを取得しているが、一方のキーワードを他方のキーワードよりも優先して用いてもよい。例えば、番組コンテンツａ１が録画された時期が所定時期よりも過去の場合には、最近用いられたキーワードを録画検索キーワードよりも優先して用いてもよい（例えば、録画検索キーワードを用いずに最近用いられたキーワードのみを用いてもよい）。
【００６２】
図７は、関連コンテンツ取得に使用されるキーワードの作成例（過去に使用されたキーワードを用いる場合）を示す図である。図７に示したように、過去にキーワード「スナップ」に応じて選択された番組コンテンツｂ１が録画され、この番組コンテンツｂ１が現在再生対象として選択されている場合を想定する。かかる場合においては、例えば、キーワードに応じた関連コンテンツが存在しない場合や、キーワードに応じた関連コンテンツの数が所望の数に達していない場合（同じ関連コンテンツが繰り返されてしまう場合）などが想定される。
【００６３】
このような場合には、関連コンテンツ取得部１３３は、番組コンテンツｂ１の録画時期に最も近い時期に録画された番組コンテンツの検索に用いられたキーワードに応じた関連コンテンツを追加的に取得してもよい。例えば、番組コンテンツｂ１の録画時期に最も近い時期に録画された番組コンテンツの検索に用いられたキーワードが複数存在する場合には、その中から最も多く用いられているキーワードに応じた関連コンテンツが取得されてもよい。図７に示した例では、番組コンテンツｂ１の録画時期に最も近い時期に録画された番組コンテンツの検索に用いられたキーワードのうち、最も多く用いられている「ももいろ」に応じた関連コンテンツが追加的に取得されている。
【００６４】
なお、図７に示した例では、録画検索キーワードと番組コンテンツｂ１の録画時期に最も近い時期に録画された番組コンテンツの検索に用いられたキーワードとを同一の優先度に設定して関連コンテンツを取得しているが、一方のキーワードを他方のキーワードよりも優先して用いてもよい。例えば、番組コンテンツｂ１が録画された時期が所定時期よりも過去の場合には、番組コンテンツｂ１の録画時期に最も近い時期に録画された番組コンテンツの検索に用いられたキーワードを録画検索キーワードよりも優先して用いてもよい（例えば、録画検索キーワードを用いずに番組コンテンツｂ１の録画時期に最も近い時期に録画された番組コンテンツの検索に用いられたキーワードのみを用いてもよい）。
【００６５】
続いて、関連コンテンツ取得に至るまでのデータの流れの一例および関連コンテンツ取得に至るまでの動作の流れの一例について説明する。図８は、関連コンテンツ取得に至るまでのデータの流れの一例を示す図である。また、図９は、関連コンテンツ取得に至るまでの動作の流れの一例を示す図である。
【００６６】
なお、図８に示した例は、関連コンテンツ取得に至るまでのデータの流れの一例に過ぎないため、関連コンテンツ取得に至るまでのデータの流れは、図８に示した例に限定されないことは言うまでもない。同様に、図９に示した例は、関連コンテンツ取得に至るまでの動作の流れの一例に過ぎないため、関連コンテンツ取得に至るまでの動作の流れは、図９に示した例に限定されないことは言うまでもない。
【００６７】
図８に示すように、番組コンテンツは、複数のシーンから構成されている。複数のシーンのそれぞれは、本編（図８に示した例では、タイトルが「オープニング」「行列のできるケーキ店」「今日の一冊」で示されているシーンなど）である場合もあれば、本編の前後に挿入されるＣＭ（図８に示した例では、タイトルが「ＣＭ」で示されているシーンなど）である場合もある。
【００６８】
複数のシーンの中には、関連コンテンツが関連付けられているシーンも存在する。図８に示した例では、シーンＩＤが「０００４」であるシーンに対して関連コンテンツが関連付けられている。なお、図８に示すように、シーンと直接関連付けられている関連コンテンツについての情報（以下、「関連コンテンツ情報」とも言う。）が存在し、この関連コンテンツ情報に含まれる関連コンテンツを識別するための情報（図８に示した例では、ＵＲＬ（Ｕｎｉｆｏｒｍ  Ｒｅｓｏｕｒｃｅ  Ｌｏｃａｔｏｒ））に基づいて、関連コンテンツを取得することが可能であってもよい。
【００６９】
なお、ここでは、図８に示すように、後メタサーバ４２は、複数のシーンのそれぞれに関する情報であるシーン情報と関連コンテンツ情報とを記憶しており、関連コンテンツサーバ４１は、関連コンテンツを記憶している場合を想定している。しかし、シーン情報、関連コンテンツ情報および関連コンテンツそれぞれを記憶するサーバは、特に限定されない。
【００７０】
図９に示すように、本体２０は、番組コンテンツを録画再生すると（Ｓ１）、タブレット１０は、その番組コンテンツのシーン情報を取得するためのシーン情報要求を後メタサーバ４２に送信する（Ｓ２）。後メタサーバ４２は、シーン情報要求に対する応答として、その番組コンテンツのシーン情報をタブレット１０に返信する（Ｓ３）。なお、番組コンテンツを特定するための情報は特に限定されないが、例えば、番組コンテンツの開始日時、番組コンテンツの終了日時および番組コンテンツを放送する放送局の組み合わせであってもよい。
【００７１】
また、タブレット１０は、関連コンテンツが存在するシーンを示す関連コンテンツ存在シーン情報を取得するための関連コンテンツ存在シーン情報要求を後メタサーバ４２に送信する（Ｓ４）。後メタサーバ４２は、関連コンテンツ存在シーン情報要求に対する応答として、その番組コンテンツの関連コンテンツ存在シーン情報をタブレット１０に返信する（Ｓ５）。
【００７２】
続いて、タブレット１０は、関連コンテンツ存在シーン情報から所望のシーンＩＤを抽出し、抽出したシーンＩＤを含む関連コンテンツ情報要求を後メタサーバ４２に送信する（Ｓ６）。後メタサーバ４２は、関連コンテンツ情報要求に対する応答として、そのシーンに関連付けられている関連コンテンツ情報をタブレット１０に返信する（Ｓ７）。
【００７３】
続いて、タブレット１０は、関連コンテンツ情報に含まれるＵＲＬを抽出し、抽出したＵＲＬを含む関連コンテンツ要求を関連コンテンツサーバ４１に送信する（Ｓ８）。関連コンテンツサーバ４１は、関連コンテンツ要求に対する応答として、そのＵＲＬに存在する関連コンテンツをタブレット１０に返信する（Ｓ９）。
【００７４】
続いて、タブレット１０は、関連コンテンツサーバ４１から関連コンテンツを受信すると、その関連コンテンツを再生する（Ｓ１０）。本体２０により再生される番組コンテンツとタブレット１０により再生される関連コンテンツとの間においては、タイムコード同期がなされる。
【００７５】
以上、関連コンテンツ取得に至るまでのデータの流れの一例および関連コンテンツ取得に至るまでの動作の流れの一例について説明した。かかる動作によれば、関連コンテンツが存在するシーンを特定することにより、そのシーンの関連コンテンツ情報を取得することができるため、番組コンテンツ全体についての関連コンテンツ情報を取得する場合よりも通信量を低減することが可能となる。
【００７６】
さらに、関連コンテンツの有無がシーン情報と切り離されるため、サーバ系４０においてはシーン情報の管理が簡便になり、タブレット１０側においてもシーン自体が更新されない限り一度取得したシーン情報を再利用できるようになる。また、関連コンテンツ情報を管理する後メタサーバ４２と関連コンテンツ自体を管理する関連コンテンツサーバ４１とを別サーバとすることにより、サーバ系４０に対する処理負荷を分散させることができる。
【００７７】
以上、本開示の実施形態に係るタブレット１０による関連コンテンツ取得の詳細について説明した。
【００７８】
＜＜５．関連コンテンツの表示制御の説明＞＞
続いて、本開示の実施形態に係るタブレット１０による関連コンテンツの表示制御の詳細について説明する。上記したように、タブレット１０の表示制御部１３５は、関連コンテンツを番組コンテンツが録画された後に関連コンテンツが表示されるように制御するが、関連コンテンツの表示制御に関しては、様々な手法が想定される。
【００７９】
図１０は、関連コンテンツの表示の一例（バナー広告を用いる場合）を示す図である。表示制御部１３５は、タッチパネルディスプレイ１３８に表示される画面に関連コンテンツＫ１が表示されるように制御してもよい。例えば、図１０に示すように、表示制御部１３５は、再生対象の番組コンテンツを選択するための選択画面１３８１の所定位置に関連コンテンツＫ１が表示されるように制御してもよい。
【００８０】
なお、図１０に示した例では、関連コンテンツＫ１は、選択されるとリンク先のページに遷移するようなバナー広告を想定しているが、関連コンテンツＫ１の種類は、バナー広告以外のコンテンツであってもよい。また、関連コンテンツＫ１が表示される画面は、再生対象の番組コンテンツを選択するための選択画面１３８１以外の画面であってもよい。
【００８１】
図１１は、関連コンテンツの表示の一例（プリロール広告を用いる場合）を示す図である。表示制御部１３５は、表示装置３０に表示される画面に関連コンテンツＫ４が表示されるように制御してもよい。例えば、図１１に示すように、表示制御部１３５は、再生対象の番組コンテンツＣ１の前に関連コンテンツを挿入することにより再生対象の番組コンテンツＣ１に続いて関連コンテンツＫ４が表示されるように制御してもよい。
【００８２】
図１１に示した例では、表示制御部１３５は、再生対象の番組コンテンツＣ１の前に関連コンテンツを挿入しているが、関連コンテンツが挿入される位置は、再生対象の番組コンテンツＣ１の後であってもよいし、再生対象の番組コンテンツＣ１の中であってもよい。すなわち、関連コンテンツが挿入される位置は、特に限定されない。
【００８３】
より詳細には、表示制御部１３５が関連コンテンツＫ４を本体２０に出力すると、本体２０は、関連コンテンツＫ４が表示装置３０により表示されるように表示装置３０を制御する。なお、図１１に示した例では、本編Ｈ１、ＣＭ、本編Ｈ２、ＣＭ、本編Ｈ３の順にシーンが変化していく番組コンテンツＣ１を想定しているが、番組コンテンツＣ１の構成は、このような構成に限定されないことは言うまでもない。また、関連コンテンツＫ４は、どのようなコンテンツであってもよい。
【００８４】
以上においては、番組コンテンツとは別のコンテンツである関連コンテンツが表示される場合を例として示してきたが、番組コンテンツ自体が加工された上で表示されてもよい。図１２は、番組コンテンツに含まれるＣＭをスキップさせる例を示す図である。例えば、表示制御部１３５は、番組コンテンツＣ１に含まれる一部のＣＭをスキップさせるようにしてもよいし、全部のＣＭをスキップさせるようにしてもよい。例えば、表示制御部１３５は、番組コンテンツＣ１に含まれるＣＭが所定の条件を満たす場合には、そのＣＭが表示されるように制御し、所定の条件を満たさない場合には、そのＣＭの表示をスキップさせてもよい。
【００８５】
図１２では、本編Ｈ２と本編Ｈ３との間に存在するＣＭをスキップさせる例を示している。例えば、本編の盛り上がり部分にＣＭが挿入されてしまうと本編の視聴の妨げになる可能性が高いため、その位置のＣＭはスキップさせるようにしてもよい。盛り上がり部分は、例えば、番組コンテンツに対する前記した画像特徴量または音声特徴量に基づく所定の認識処理（例えば、音声認識）が施された結果として得られた認識結果に基づいて判定されてもよいし、前記した後メタなどのメタ情報など番組コンテンツに対して書き込まれた視聴者によるコメントに基づいて判定されてもよい。例えば、画像音声特徴量を用いた場合では、人の顔画像が検出でき音声レベルが所定のしきい値以上の場合、または人の歓声などの所定周波数帯域の音声スペクトルパワーが所定値以上の場合には盛り上がりと判定できる。
【００８６】
このようにして、番組コンテンツＣ１に含まれるＣＭをスキップさせることにより、番組コンテンツＣ１の再生時間を短縮させることができるとともに、スキップさせないＣＭによる広告の効果を高めることができる。また、例えば、本編を構成するコーナーとコーナーとの間であれば、本編の視聴の妨げになる可能性は低いため、その位置のＣＭは残すようにしてもよい。
【００８７】
図１３は、番組コンテンツに含まれるＣＭを移動させる例を示す図である。例えば、表示制御部１３５は、番組コンテンツＣ１に含まれる一部のＣＭを移動させてもよいし、全部のＣＭを移動させてもよい。例えば、表示制御部１３５は、番組コンテンツＣ１が所定の条件を満たす場合には、番組コンテンツＣ１に含まれるＣＭを移動させないように制御し、所定の条件を満たさない場合には、そのＣＭを移動させるように制御してもよい。
【００８８】
図１３では、本編Ｈ１と本編Ｈ２との間に存在するＣＭと、本編Ｈ２と本編Ｈ３との間に存在するＣＭとを、番組コンテンツＣ１の前に移動させる例を示している。例えば、番組コンテンツＣ１の種類が所定のジャンル（例えば、ドラマ、映画など）である場合には、ＣＭが本編の視聴の妨げになる可能性が高いため、番組コンテンツＣ１に含まれるＣＭを移動させるように制御してもよい。一方、例えば、番組コンテンツＣ１の種類が所定のジャンルでない場合には、ＣＭが本編の視聴の妨げになる可能性が低いため、番組コンテンツＣ１に含まれるＣＭを移動させるように制御してもよい。
【００８９】
なお、ＣＭを移動させた結果、同一のＣＭが連続してしまう可能性も想定される。同一のＣＭが連続してしまう場合には、その番組コンテンツを視聴する視聴者のＣＭに対する興味を減退させてしまう可能もある。したがって、表示制御部１３５は、同一のＣＭが連続してしまう場合には、それらのＣＭの一部または全部を他のＣＭに差し替えてもよい。ＣＭの差し替えは、類似するＣＭが連続するようになされてもよい。類似するＣＭとしては、例えば、出演者が同一のＣＭ、宣伝される商品または商品の種類が同一の異なるＣＭなどが挙げられる。同一または類似するＣＭは、前記、所定の画像特徴量または音声特徴量を用いて所定のフレーム毎のマッチング処理に基づいて所定のサーバに蓄積されているコンテンツの中から検出することが考えられる。このＣＭ検出において、フレーム毎の距離計算値（フレーム間距離Ｆｄ）を検出対象ＣＭコンテンツの時間長（フレーム長）分だけ加算した距離（コンテンツ間距離Ｃｄ）を計算し所定のしきい値（Ｄｔｈ）と比較することでマッチング処理を行うことが考えられる。ここで、Ｄｔｈの値を変えることで同一ＣＭまたは類似ＣＭの検出を行うことができる。すなわち、同一ＣＭ検出の場合は、Ｄｔｈを小さな値Ｄｔｈｓとし、類似ＣＭ検出の場合は、ＤｔｈをＤｔｈｓに比べて大きな値Ｄｔｈｍ（Ｄｔｈｓ＜Ｄｔｈｍ）とすることで処理を行う。
【００９０】
ＣＭの出演者は、例えば、番組コンテンツに対する所定の認識処理（例えば、顔認識処理、音声認識など）が施された結果として得られた認識結果に基づいて判定されてもよい。あるいは、ＣＭの出演者は、番組コンテンツに対して書き込まれた視聴者によるコメントに基づいて判定されてもよいし、ＣＭに付されているメタデータに出演者を特定するための情報が含まれている場合には当該情報に基づいて判定されてもよい。
【００９１】
再生対象の番組コンテンツを選択するための選択画面１３８１の所定位置に表示される関連コンテンツＫ１と再生対象の番組コンテンツに挿入される関連コンテンツＫ４とは、関連していなくてもよいし、関連していてもよい。
【００９２】
例えば、関連コンテンツＫ１に対する選択操作が行われた場合には、関連コンテンツＫ１に視聴者が興味を持った可能性が高いため、表示制御部１３５は、関連コンテンツＫ１と同一または類似する関連コンテンツＫ４が表示されるように制御してもよい。一方、例えば、関連コンテンツＫ１に対する選択操作が行われなかった場合には、関連コンテンツＫ１に視聴者が興味を持たなかった可能性が高いため、表示制御部１３５は、関連コンテンツＫ１と類似度が低い関連コンテンツＫ４が表示されるように制御してもよい。
【００９３】
表示制御部１３５により表示制御される関連コンテンツは、再生対象の番組コンテンツと関連していなくてもよいし、再生対象の番組コンテンツと関連していてもよい。図１４は、関連コンテンツの表示の一例（再生対象の番組コンテンツと関連する関連コンテンツを用いる場合）を示す図である。図１４に示した再生対象の番組コンテンツに対する操作画面１３８２は、例えば、再生対象の番組コンテンツを選択するための選択画面１３８１において再生対象の番組コンテンツが視聴者により選択された場合における遷移先の画面である。例えば、再生対象の番組コンテンツに対する操作画面１３８２において視聴者により再生操作がなされると、再生対象の番組コンテンツが再生される。
【００９４】
図１４に示すように、表示制御部１３５は、再生対象の番組コンテンツに対する操作画面１３８２の所定位置に関連コンテンツ（例えば、関連コンテンツＫ２および関連コンテンツＫ３）が表示されるように制御してもよい。関連コンテンツＫ２および関連コンテンツＫ３それぞれは、再生対象の番組コンテンツと関連している。すなわち、既に述べたように、関連コンテンツとして再生対象の番組コンテンツに関連する関連コンテンツが関連コンテンツ取得部１３３により取得された場合を想定している。
【００９５】
関連コンテンツの表示タイミングとしては、様々なタイミングが想定される。例えば、関連コンテンツ取得部１３３は、再生対象の番組コンテンツに番組セグメントが含まれる場合、当該番組セグメントに関連する関連セグメントを取得し、表示制御部１３５は、番組セグメントの表示タイミングに応じたタイミングにより関連セグメントが表示されるように制御してもよい。
【００９６】
図１５は、番組コンテンツＣ１および関連コンテンツＫ２の表示タイミングの一例を示す図である。図１５に示した例では、番組セグメントは、番組コンテンツを構成するコーナーおよびＣＭに相当する。番組コンテンツＣ１を構成する番組セグメント（図１５に示した例では、コーナー１、コーナー２、ＣＭ１、ＣＭ２、コーナー３およびコーナー４）には、関連セグメント（図１５に示した例では、コーナー連動広告、コーナー連動広告、ＣＭ連動広告、ＣＭ連動広告、コーナー連動広告およびコーナー連動広告）が関連している。
【００９７】
図１５に示した例では、番組セグメントと関連セグメントとが同時に表示されているが、番組セグメントと関連セグメントとは、同時に表示されなくてもよい。例えば、関連セグメントは、番組セグメントの表示タイミングよりも所定時間後に表示されてもよい。また、図１５に示した例では、番組セグメントの表示時間と関連セグメントの表示時間とは同一の長さであるが、各々の表示時間は異なっていてもよい。
【００９８】
ところで、番組コンテンツに含まれるＣＭは、早送り再生によりスキップされてしまう場合がある。かかる場合、早送り再生によりスキップされたＣＭを視聴者が把握できるようにすれば、そのＣＭに興味を持たせる機会を作ることができる。したがって、早送り再生によりスキップされたＣＭがＣＭ一覧として表示されてもよい。ＣＭ一覧は、例えば、番組コンテンツのメタデータとして、タブレット１０が本体２０から取得され得る。
【００９９】
図１６は、ＣＭをスキップさせた場合に表示されるＣＭ一覧の例を示す図である。図１６に示すように、表示制御部１３５は、番組コンテンツに含まれるＣＭが早送り再生された場合には、このＣＭを示す情報がＣＭ一覧Ｌ１として表示されるように制御してもよい。図１６に示された例では、ＣＭ一覧Ｌ１には、ＣＭを識別するための情報としての「ＣＭ」、「スポンサー」、「出演者」および「内容」が含まれているが、ＣＭ一覧Ｌ１に含まれる情報は特に限定されない。
【０１００】
また、ＣＭ一覧Ｌ１に含まれる情報の順序は、特に限定されない。例えば、視聴者が既に視聴したＣＭについての情報は、ＣＭ一覧Ｌ１のうち、視聴者が見やすい位置（例えば、ＣＭ一覧Ｌ１の上側など）に表示されてもよい。また、視聴者が既に視聴したＣＭについての情報に対応する位置には、視聴済みである旨の印が表示されてもよい。
【０１０１】
なお、ＣＭの種類に関わらずＣＭをスキップさせてもよいし、スキップさせてもよいＣＭとスキップさせないＣＭとを設けてもよい。例えば、表示制御部１３５は、上記したキーワード（例えば、録画検索キーワード、再生検索キーワード、事前登録情報など）に関連したＣＭに対して早送り操作がなされた場合には、そのＣＭはスキップさせないようにしてもよいし、そのＣＭをスキップさせるとともにそのＣＭがキーワードに関連する旨の表示がされるように制御してもよい。
【０１０２】
また、例えば、表示制御部１３５は、再生対象の番組コンテンツの出演者に関連するＣＭに対して早送り操作がなされた場合には、そのＣＭはスキップさせないようにしてもよいし、そのＣＭをスキップさせるとともにそのＣＭがキーワードに関連する旨の表示がされるように制御してもよい。
【０１０３】
また、シリーズＣＭの一部を構成するＣＭが番組コンテンツに含まれている場合も想定される。かかる場合には、表示制御部１３５は、ＣＭに対して早送り操作がなされなかった場合には、そのＣＭに興味が持たれたと判断してそのＣＭにより構成されるシリーズＣＭの続きが表示されるように制御してもよい。さらに、表示制御部１３５は、シリーズＣＭの続きの表示前に、シリーズＣＭの続きの表示を行うか否かの確認画面が表示されるように制御してもよい。
【０１０４】
また、所定の時期よりも過去に生成されたＣＭは、他のＣＭに差し替えられてもよい。当該他のＣＭは、タブレット１０によりネットワーク６０を介して所定のサーバから取得されてもよい。また、タブレット１０を使用する視聴者を特定するための情報が取得された場合には、視聴者を特定するための情報に基づいて、当該視聴者に応じたＣＭが取得されてもよい。視聴者の特定は、番組コンテンツの再生履歴に基づく嗜好情報に基づいてなされてもよいし、撮像画像に対する顔認識の結果、録音データに対する音声認識の結果、視聴者から採取された指紋情報などに基づいてなされてもよい。
【０１０５】
このように、表示装置３０に番組コンテンツが表示されている最中に、関連コンテンツがタブレット１０に表示されると、視聴者が関連コンテンツの視聴に集中してしまい、番組コンテンツの視聴が疎かになってしまう可能性もある。そこで、番組コンテンツの視聴を妨げないための処理が実行されてもよい。
【０１０６】
具体的には、例えば、表示制御部１３５は、関連コンテンツが表示されるように制御した後、番組コンテンツの再生中にタブレット１０が所定範囲外のサイトにアクセスした場合には、番組コンテンツの再生が停止されるように制御してもよい。ここでの所定範囲外のサイトは、関連コンテンツサーバ４１、後メタサーバ４２および本体２０のいずれでもない装置が提供するサイトであってもよい。また、例えば、表示制御部１３５は、タブレット１０によるアクセス先が所定範囲内のサイトに戻った場合には、番組コンテンツの再生が再開されるように制御してもよい。
【０１０７】
また、例えば、番組コンテンツに含まれるＣＭのうち、再生されたＣＭに対しては、既に再生された旨を示す情報が付与され、既に再生された旨を示す情報が付されたＣＭは、視聴者による操作に基づいて再生され、表示制御部１３５により表示制御されて、後から視聴者が視聴できるようにしてもよい。
【０１０８】
図１７は、関連コンテンツの表示の一例（再生対象の番組コンテンツに関連する関連コンテンツを用いる場合）を示す図である。図１７に示した再生対象の番組コンテンツに対する操作画面１３８２は、例えば、再生対象の番組コンテンツを選択するための選択画面１３８１において再生対象の番組コンテンツが視聴者により選択された場合における遷移先の画面である。例えば、再生対象の番組コンテンツに対する操作画面１３８２において視聴者により再生操作がなされると、再生対象の番組コンテンツが再生される。
【０１０９】
図１７に示すように、表示制御部１３５は、再生対象の番組コンテンツに対する操作画面１３８２の所定位置に関連コンテンツ一覧Ｌ２が表示されるように制御してもよい。関連コンテンツ一覧Ｌ２に存在する各々の関連コンテンツは、再生対象の番組コンテンツと関連している。すなわち、既に述べたように、再生対象の番組コンテンツに関連する各々の関連コンテンツが関連コンテンツ取得部１３３により取得された場合を想定している。関連コンテンツ一覧Ｌ２に存在する各々の関連コンテンツは、一例として「出演者」、「商品の種類」、「商品名」、「価格」により構成されているが、かかる例に限定されない。
【０１１０】
このように、番組コンテンツに関連する関連コンテンツが複数存在する場合が想定される。かかる場合、表示制御部１３５は、当該複数の関連コンテンツそれぞれの優先順位を特定し、当該複数の関連コンテンツそれぞれが対応する優先順位に応じた位置に当該複数の関連コンテンツそれぞれが表示されるように制御してもよい。例えば、表示制御部１３５は、番組コンテンツの選択に利用された所定の情報（例えば、番組コンテンツの選択に利用されたキーワードなど）に基づいて、当該複数の関連コンテンツそれぞれの優先順位を特定してもよい。
【０１１１】
例えば、表示制御部１３５は、番組コンテンツの選択に利用されたキーワード（例えば、録画検索キーワード、再生検索キーワード、事前登録情報など）の優先順位を番組コンテンツの選択に利用されていないキーワードよりも高く特定してもよい。また、表示制御部１３５は、優先順位が高い関連コンテンツほど、視聴者が見やすい位置（例えば、関連コンテンツ一覧Ｌ２の上側など）に表示されるように制御してもよい。
【０１１２】
以上、本開示の実施形態に係るタブレット１０による関連コンテンツの表示制御の詳細について説明した。
【０１１３】
＜＜６．表示制御システムの動作例＞＞
続いて、本開示の実施形態に係る表示制御システム１の動作について説明する。図１８は、本開示の実施形態に係る表示制御システム１の動作（メイン動作）の流れの例を示すフローチャートである。なお、図１８に示した表示制御システム１の動作（メイン動作）の流れは、一例に過ぎないため、表示制御システム１の動作（メイン動作）の流れは、図１８に示した例に限定されない。
【０１１４】
図１８に示したように、まず、タブレット１０は、動作モードが再生モードであるか否かを判定し（Ｒ１）、動作モードが再生モードではない場合には（Ｒ１で「Ｎｏ」）、所定動作モードのフローへ動作を移行させる。所定動作モードのフローはここには示されていないが、特に限定されない。
【０１１５】
一方、タブレット１０は、動作モードが再生モードである場合には（Ｒ１で「Ｙｅｓ」）、番組コンテンツＣ０を選択し（Ｒ２）、デフォルトの表示モードを設定する（Ｒ３）。タブレット１０は、表示モードを検出し（Ｒ４）、本体２０は、番組コンテンツＣ０の再生処理を行う（Ｒ５）。続いて、タブレット１０は、表示モードが同期表示モードであるか否かを判定する（Ｒ６）。
【０１１６】
同期表示モードは、上記した例では、番組コンテンツの表示タイミングに応じたタイミングで関連コンテンツが表示されるモードに相当する。タブレット１０は、表示モードが同期表示モードである場合には（Ｒ６で「Ｙｅｓ」）、Ｒ７に動作を移行させる。一方、タブレット１０は、表示モードが同期表示モードではない場合には（Ｒ６で「Ｎｏ」）、Ｒ１１に動作を移行させる。
【０１１７】
Ｒ７に動作が移行された場合には、タブレット１０は、番組コンテンツＣ０からコーナーを検出し（Ｒ７）、前回検出時のコーナーから今回検出時のコーナーが変化したか否かを判定する（Ｒ８）。コーナーの検出は、番組コンテンツＣ０のメタデータ（例えば、前メタ、後メタなど）に基づいてなされてもよいし、番組コンテンツＣ０に対して所定の認識処理（例えば、顔認識処理、音声認識処理）が施された結果に基づいてなされてもよい。
【０１１８】
タブレット１０は、コーナーが変化していない場合には（Ｒ８で「Ｎｏ」）、Ｒ１５に動作を移行させる。一方、タブレット１０は、コーナーが変化した場合には（Ｒ８で「Ｙｅｓ」）、番組コンテンツＣ０を構成する本編に対するＣＭの挿入タイミングであるか否かを判定する（Ｒ９）。
【０１１９】
タブレット１０は、番組コンテンツＣ０を構成する本編に対するＣＭの挿入タイミングではない場合には（Ｒ９で「Ｎｏ」）、Ｒ１５に動作を移行させる。一方、番組コンテンツＣ０を構成する本編に対するＣＭの挿入タイミングである場合には（Ｒ９で「Ｙｅｓ」）、本体２０は、番組コンテンツＣ０を構成する本編にＣＭを挿入することによりＣＭを表示し、タブレット１０は、番組コンテンツＣ０に関連する関連コンテンツに含まれるバナー広告を表示する（Ｒ１０）。
【０１２０】
Ｒ１１に動作が移行された場合には、タブレット１０は、番組コンテンツＣ０を構成する本編に対するＣＭの挿入タイミングであるか否かを判定する（Ｒ１１）。タブレット１０は、番組コンテンツＣ０を構成する本編に対するＣＭの挿入タイミングではない場合には（Ｒ１１で「Ｎｏ」）、Ｒ１３に動作を移行させる。一方、番組コンテンツＣ０を構成する本編に対するＣＭの挿入タイミングである場合には（Ｒ１１で「Ｙｅｓ」）、本体２０は、番組コンテンツＣ０を構成する本編にＣＭを挿入することによりＣＭを表示し（Ｒ１２）、Ｒ１３に動作を移行させる。
【０１２１】
Ｒ１３に動作が移行された場合には、タブレット１０は、関連コンテンツを構成する本編に対する広告の挿入タイミングであるか否かを判定する（Ｒ１３）。タブレット１０は、関連コンテンツを構成する本編に対する広告の挿入タイミングではない場合には（Ｒ１３で「Ｎｏ」）、Ｒ１５に動作を移行させる。一方、関連コンテンツを構成する本編に対する広告の挿入タイミングである場合には（Ｒ１３で「Ｙｅｓ」）、タブレット１０は、関連コンテンツを構成する本編にバナー広告を挿入することによりバナー広告を表示し（Ｒ１４）、Ｒ１５に動作を移行させる。
【０１２２】
続いて、タブレット１０は、動作終了か否かを判定し（Ｒ１５）、動作終了の場合には（Ｒ１５で「Ｙｅｓ」）、動作を終了させる。一方、タブレット１０は、動作終了ではない場合には（Ｒ１５で「Ｎｏ」）、表示モードを変更するか否かを判定し（Ｒ１６）、表示モードを変更しない場合には（Ｒ１６で「Ｎｏ」）、Ｒ４に動作を移行させるが、表示モードを変更する場合には（Ｒ１６で「Ｙｅｓ」）、表示モードを変更し（Ｒ１７）、Ｒ４に動作を移行させる。
【０１２３】
図１９は、本開示の実施形態に係る表示制御システム１の動作（再生対象の番組コンテンツに連動する関連コンテンツを用いる場合）の流れの例を示すフローチャートである。なお、図１９に示した表示制御システム１の動作（再生対象の番組コンテンツに連動する関連コンテンツを用いる場合）の流れは、一例に過ぎないため、表示制御システム１の動作（再生対象の番組コンテンツに連動する関連コンテンツを用いる場合）の流れは、図１９に示した例に限定されない。
【０１２４】
図１９に示したように、まず、タブレット１０は、動作モードが特殊再生モードであるか否かを判定し（Ｑ１）、動作モードが特殊再生モードではない場合には（Ｑ１で「Ｎｏ」）、通常表示処理を行い（Ｑ５）、Ｑ４に動作を移行させる。特殊再生モードは、上記した例では、早送り再生に相当する。また、通常表示処理は、関連コンテンツを表示する処理に相当する。
【０１２５】
一方、タブレット１０は、動作モードが特殊再生モードである場合には（Ｑ１で「Ｙｅｓ」）、再生中の番組コンテンツ内の全ＣＭ情報を取得し（Ｑ２）、取得した全ＣＭ情報に基づいて一覧表示処理を行う（Ｑ３）。全ＣＭ情報は、上記した例では、ＣＭ一覧Ｌ１に相当する。続いて、タブレット１０は、動作終了か否かを判定し（Ｑ４）、動作終了の場合には（Ｑ４で「Ｙｅｓ」）、動作を終了させる。一方、タブレット１０は、動作終了ではない場合には（Ｑ４で「Ｎｏ」）、Ｑ１に動作を移行させる。
【０１２６】
本体２０における動作もタブレット１０における動作と並行して行われる。まず、本体２０は、動作モードが特殊再生モードであるか否かを判定し（Ｐ１）、動作モードが特殊再生モードではない場合には（Ｐ１で「Ｎｏ」）、通常表示処理を行い（Ｐ４）、Ｐ５に動作を移行させる。特殊再生モードは、上記した例では、早送り再生に相当する。また、通常表示処理は、番組コンテンツを表示する処理に相当する。
【０１２７】
一方、本体２０は、動作モードが特殊再生モードである場合には（Ｐ１で「Ｙｅｓ」）、番組コンテンツの現在の再生位置がＣＭ区間であるか否かを判定する（Ｐ２）。本体２０は、番組コンテンツの現在の再生位置がＣＭ区間ではない場合には（Ｐ２で「Ｎｏ」）、Ｐ５に動作を移行させる。一方、本体２０は、番組コンテンツの現在の再生位置がＣＭ区間である場合には（Ｐ２で「Ｙｅｓ」）、ＣＭがキーワードと関連するか否かを判定する（Ｐ３）。
【０１２８】
本体２０は、ＣＭがキーワードと関連しない場合には（Ｐ３で「Ｎｏ」）、Ｐ５に動作を移行させる。一方、本体２０は、ＣＭがキーワードと関連する場合には（Ｐ３で「ＹｅｓＮｏ」）、通常表示処理を行い（Ｐ４）、Ｐ５に動作を移行させる。通常表示処理は、上記した例では、番組コンテンツの表示処理に相当する。本体２０は、動作終了か否かを判定し（Ｐ５）、動作終了の場合には（Ｐ５で「Ｙｅｓ」）、動作を終了させる。一方、本体２０は、動作終了ではない場合には（Ｐ５で「Ｎｏ」）、Ｐ１に動作を移行させる。
【０１２９】
図２０は、本開示の実施形態に係る表示制御システム１の動作（再生対象の番組コンテンツに連動する関連コンテンツを用いる場合）の流れの例を示すフローチャートである。なお、図２０に示した表示制御システム１の動作（再生対象の番組コンテンツに連動する関連コンテンツを用いる場合）の流れは、一例に過ぎないため、表示制御システム１の動作（再生対象の番組コンテンツに連動する関連コンテンツを用いる場合）の流れは、図２０に示した例に限定されない。
【０１３０】
図２０に示したように、まず、タブレット１０は、動作モードが特殊再生モードであるか否かを判定し（Ｑ１）、動作モードが特殊再生モードではない場合には（Ｑ１で「Ｎｏ」）、通常表示処理を行い（Ｑ５）、Ｑ６に動作を移行させる。特殊再生モードは、上記した例では、早送り再生に相当する。また、通常表示処理は、関連コンテンツを表示する処理に相当する。
【０１３１】
一方、タブレット１０は、動作モードが特殊再生モードである場合には（Ｑ１で「Ｙｅｓ」）、再生中の番組コンテンツ内の全ＣＭ情報を取得し（Ｑ２）、取得した全ＣＭ情報に基づいて一覧表示処理を行う（Ｑ３）。全ＣＭ情報は、上記した例では、ＣＭ一覧Ｌ１に相当する。
【０１３２】
続いて、タブレット１０は、番組コンテンツの現在の再生位置がＣＭ区間であるか否かを判定する（Ｐ２）。タブレット１０は、番組コンテンツの現在の再生位置がＣＭ区間ではない場合には（Ｐ２で「Ｎｏ」）、Ｑ４に動作を移行させる。一方、本体２０は、番組コンテンツの現在の再生位置がＣＭ区間である場合には（Ｐ２で「Ｙｅｓ」）、ＣＭがキーワードと関連するか否かを判定する（Ｐ３）。
【０１３３】
本体２０は、ＣＭがキーワードと関連しない場合には（Ｐ３で「Ｎｏ」）、Ｑ４に動作を移行させる。一方、本体２０は、ＣＭがキーワードと関連する場合には（Ｐ３で「Ｙｅｓ」）、Ｑ６に動作を移行させる。Ｑ６に動作が移行された場合には、タブレット１０は、本体２０に対して表示要求を送信し（Ｑ６）、Ｑ４に動作を移行させる。続いて、タブレット１０は、動作終了か否かを判定し（Ｑ４）、動作終了の場合には（Ｑ４で「Ｙｅｓ」）、動作を終了させる。一方、タブレット１０は、動作終了ではない場合には（Ｑ４で「Ｎｏ」）、Ｑ１に動作を移行させる。
【０１３４】
本体２０における動作もタブレット１０における動作と並行して行われる。まず、本体２０は、タブレット１０から表示要求を受信したか否かを判定する（Ｐ６）。本体２０は、タブレット１０から表示要求を受信しなかった場合には（Ｐ６で「Ｎｏ」）、Ｐ５に動作を移行させる。
【０１３５】
一方、本体２０は、タブレット１０から表示要求を受信した場合には（Ｐ６で「Ｙｅｓ」）、通常表示処理を行い（Ｐ４）、Ｐ５に動作を移行させる。通常表示処理は、上記した例では、番組コンテンツの表示処理に相当する。本体２０は、動作終了か否かを判定し（Ｐ５）、動作終了の場合には（Ｐ５で「Ｙｅｓ」）、動作を終了させる。一方、本体２０は、動作終了ではない場合には（Ｐ５で「Ｎｏ」）、Ｐ１に動作を移行させる。
【０１３６】
図２１は、本開示の実施形態に係る表示制御システム１の動作（再生対象の番組コンテンツに連動する関連コンテンツを用いる場合）の流れの例を示すフローチャートである。なお、図２１に示した表示制御システム１の動作（再生対象の番組コンテンツに連動する関連コンテンツを用いる場合）の流れは、一例に過ぎないため、表示制御システム１の動作（再生対象の番組コンテンツに連動する関連コンテンツを用いる場合）の流れは、図２１に示した例に限定されない。
【０１３７】
図２１に示したように、まず、タブレット１０または本体２０は、動作モードが特殊再生モードであるか否かを判定し（Ｕ１）、動作モードが特殊再生モードではない場合には（Ｕ１で「Ｎｏ」）、本体側ディスプレイ通常再生処理を行い（Ｕ８）、タブレット側通常表示処理を行い（Ｕ９）、Ｕ７に動作を移行させる。特殊再生モードは、上記した例では、早送り再生に相当する。また、本体側ディスプレイ通常表示処理は、本体２０が表示装置３０に番組コンテンツを表示させる処理に相当し、タブレット側通常表示処理は、タブレット１０が関連コンテンツを表示する処理に相当する。
【０１３８】
一方、タブレット１０または本体２０は、動作モードが特殊再生モードである場合には（Ｕ１で「Ｙｅｓ」）、番組コンテンツの現在の再生位置がＣＭ区間であるか否かを判定する（Ｕ２）。タブレット１０または本体２０は、番組コンテンツの現在の再生位置がＣＭ区間ではない場合には（Ｕ２で「Ｎｏ」）、Ｕ５に動作を移行させる。一方、タブレット１０または本体２０は、番組コンテンツの現在の再生位置がＣＭ区間である場合には（Ｕ２で「Ｙｅｓ」）、ＣＭがキーワードと関連するか否かを判定する（Ｕ３）。
【０１３９】
タブレット１０または本体２０は、ＣＭがキーワードと関連しない場合には（Ｕ３で「Ｎｏ」）、Ｕ５に動作を移行させる。一方、タブレット１０または本体２０は、ＣＭがキーワードと関連する場合には（Ｕ３で「Ｙｅｓ」）、Ｕ５に動作を移行させる。Ｕ５に動作が移行された場合には、タブレット１０は、再生中の番組コンテンツ内の全ＣＭ情報を取得し（Ｕ５）、取得した全ＣＭ情報に基づいてタブレット側ＣＭ一覧表示処理を行う（Ｕ６）。全ＣＭ情報は、上記した例では、ＣＭ一覧Ｌ１に相当する。
【０１４０】
Ｕ７に動作が移行された場合には、タブレット１０および本体２０は、動作終了か否かを判定し（Ｕ７）、動作終了の場合には（Ｕ７で「Ｙｅｓ」）、動作を終了させる。一方、タブレット１０および本体２０は、動作終了ではない場合には（Ｕ７で「Ｎｏ」）、Ｕ１に動作を移行させる。
【０１４１】
図２２は、本開示の実施形態に係る表示制御システム１の動作（キーワードに応じた関連コンテンツを用いる場合）の流れの例を示すフローチャートである。なお、図２２に示した表示制御システム１の動作（キーワードに応じた関連コンテンツを用いる場合）の流れは、一例に過ぎないため、表示制御システム１の動作（キーワードに応じた関連コンテンツを用いる場合）の流れは、図２２に示した例に限定されない。
【０１４２】
図２２に示したように、まず、タブレット１０は、動作モードが再生モードであるか否かを判定し（Ｔ１）、動作モードが再生モードではない場合には（Ｔ１で「Ｎｏ」）、所定動作モードのフローへ動作を移行させる。所定動作モードのフローはここには示されていないが、特に限定されない。
【０１４３】
一方、タブレット１０は、動作モードが再生モードである場合には（Ｔ１で「Ｙｅｓ」）、番組コンテンツＣ０を選択し（Ｔ２）、広告処理モードを検出する（Ｔ３）。広告処理モードは、上記した例では、録画検索キーワード、再生検索キーワード、事前登録情報などのキーワードのうち、どのキーワードを検出するかを示すモードに相当する。続いて、タブレット１０は、広告処理モードに応じたキーワードを検出し（Ｔ４）、キーワードに応じた関連コンテンツＫ０を検索する（Ｔ５）。
【０１４４】
本体２０は、関連コンテンツＫ０が見つかった場合には（Ｔ６で「Ｙｅｓ」）、番組コンテンツＣ０を再生するとともに再生した番組コンテンツＣ０が表示されるように制御し、タブレット１０は、関連コンテンツＫ０を再生するとともに再生した関連コンテンツＫ０が表示されるように制御する（Ｔ７）。タブレット１０は、動作終了か否かを判定し（Ｔ８）、動作終了の場合には（Ｔ８で「Ｙｅｓ」）、動作を終了させる。一方、タブレット１０は、動作終了ではない場合には（Ｔ８で「Ｎｏ」）、Ｔ７に動作を移行させる。
【０１４５】
一方、タブレット１０は、関連コンテンツＫ０が見つからなかった場合には（Ｔ６で「Ｎｏ」）、通常広告コンテンツＴ０を選択する（Ｔ９）。通常広告コンテンツＴ０は、キーワードに関わらず取得可能なコンテンツであり、あらかじめ用意されている。続いて、本体２０は、番組コンテンツＣ０を再生するとともに再生した番組コンテンツＣ０が表示されるように制御し、本体２０は、通常広告コンテンツＴ０を再生するとともに再生した通常広告コンテンツＴ０が表示されるように制御する（Ｔ１０）。タブレット１０は、動作終了か否かを判定し（Ｔ１１）、動作終了の場合には（Ｔ１１で「Ｙｅｓ」）、動作を終了させる。一方、タブレット１０は、動作終了ではない場合には（Ｔ１１で「Ｎｏ」）、Ｔ１０に動作を移行させる。
【０１４６】
図２３は、本開示の実施形態に係る表示制御システム１の動作（キーワードに応じた関連コンテンツを用いる場合）の流れの例を示すフローチャートである。なお、図２３に示した表示制御システム１の動作（キーワードに応じた関連コンテンツを用いる場合）の流れは、一例に過ぎないため、表示制御システム１の動作（キーワードに応じた関連コンテンツを用いる場合）の流れは、図２３に示した例に限定されない。
【０１４７】
図２３に示したように、まず、タブレット１０は、動作モードが再生モードであるか否かを判定し（Ｔ１）、動作モードが再生モードではない場合には（Ｔ１で「Ｎｏ」）、所定動作モードのフローへ動作を移行させる。所定動作モードのフローはここには示されていないが、特に限定されない。
【０１４８】
一方、タブレット１０は、動作モードが再生モードである場合には（Ｔ１で「Ｙｅｓ」）、番組コンテンツＣ０を選択し（Ｔ２）、広告処理モードを検出する（Ｔ３）。広告処理モードは、上記した例では、録画検索キーワード、再生検索キーワード、事前登録情報などのキーワードのうち、どのキーワードを検出するかを示すモードに相当する。続いて、タブレット１０は、広告処理モードに応じたキーワードを検出する（Ｔ４）。
【０１４９】
タブレット１０は、新規キーワード入力があったか否かを判定する（Ｔ４１）。新規キーワードは、例えば、現在から所定時間前までの期間に入力されたキーワードである。タブレット１０は、新規キーワードの入力がなかった場合には（Ｔ４１で「Ｎｏ」）、Ｔ５に動作を移行させる。一方、タブレット１０は、新規キーワードの入力があった場合には（Ｔ４１で「Ｙｅｓ」）、当該キーワードの重要度を高めるため、当該キーワードに対する重み付けの処理であるキーワード重み付け処理を行い（Ｔ４２）、Ｔ５に動作を移行させる。
【０１５０】
キーワード重み付け処理は、例えば、データベースにおける過去の番組コンテンツの検索履歴から特定される新規キーワードに対してなされてもよい。タブレット１０が新規キーワードに対してどの程度の重み付けを行うかに関しては、特に限定されない。続いて、タブレット１０は、キーワードに応じた関連コンテンツＫ０を検索する（Ｔ５）。
【０１５１】
本体２０は、関連コンテンツＫ０が見つかった場合には（Ｔ６で「Ｙｅｓ」）、番組コンテンツＣ０を再生するとともに再生した番組コンテンツＣ０が表示されるように制御し、タブレット１０は、関連コンテンツＫ０を再生するとともに再生した関連コンテンツＫ０が表示されるように制御する（Ｔ７）。タブレット１０は、動作終了か否かを判定し（Ｔ８）、動作終了の場合には（Ｔ８で「Ｙｅｓ」）、動作を終了させる。一方、タブレット１０は、動作終了ではない場合には（Ｔ８で「Ｎｏ」）、Ｔ７に動作を移行させる。
【０１５２】
一方、タブレット１０は、関連コンテンツＫ０が見つからなかった場合には（Ｔ６で「Ｎｏ」）、通常広告コンテンツＴ０を選択する（Ｔ９）。通常広告コンテンツＴ０は、キーワードに関わらず取得可能なコンテンツであり、あらかじめ用意されている。続いて、本体２０は、番組コンテンツＣ０を再生するとともに再生した番組コンテンツＣ０が表示されるように制御し、本体２０は、通常広告コンテンツＴ０を再生するとともに再生した通常広告コンテンツＴ０が表示されるように制御する（Ｔ１０）。タブレット１０は、動作終了か否かを判定し（Ｔ１１）、動作終了の場合には（Ｔ１１で「Ｙｅｓ」）、動作を終了させる。一方、タブレット１０は、動作終了ではない場合には（Ｔ１１で「Ｎｏ」）、Ｔ１０に動作を移行させる。
【０１５３】
＜＜７．むすび＞＞
以上説明したように、本開示の実施形態によれば、番組コンテンツに関連する関連コンテンツを取得する関連コンテンツ取得部１３３と、番組コンテンツが録画された後に関連コンテンツが表示されるように制御する表示制御部１３５と、を備える、表示制御装置を提供することが可能である。かかる構成によれば、番組コンテンツが録画された後に関連コンテンツが表示されるようにするための技術が提供される。したがって、例えば、番組コンテンツに対するユーザの評価などを考慮した関連コンテンツをユーザに提供することができる。
【０１５４】
本開示の技術によって、より効果的に関連コンテンツを視聴者に提示することが可能となる。その結果、関連コンテンツを介した新たなビジネスチャンスを作り出す可能性を高めることが可能となる。また、視聴者は、本開示の技術によって提供された関連コンテンツを視聴することにより、より効果的な関連情報（例えば、商品情報など）を得ることが容易になることが期待される。また、視聴者は、番組コンテンツを楽しむとともに番組コンテンツに関連する関連コンテンツを楽しむことも可能となる。
【０１５５】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１５６】
例えば、本明細書の表示制御システム１の動作例における各ステップは、必ずしもフローチャートとして記載された順序に沿って時系列に処理する必要はない。例えば、表示制御システム１の動作例における各ステップは、フローチャートとして記載した順序と異なる順序で処理されても、並列的に処理されてもよい。
【０１５７】
また、コンピュータに内蔵されるＣＰＵ、ＲＯＭおよびＲＡＭなどのハードウェアを、上記した装置（例えば、タブレット１０、本体２０、関連コンテンツサーバ４１、後メタサーバ４２など）が有する構成と同等の機能を発揮させるためのプログラムも作成可能である。また、該プログラムを記録した、コンピュータに読み取り可能な記録媒体も提供され得る。
【０１５８】
上記実施例では、番組コンテンツを処理対象に説明したが、番組コンテンツ以外にも他の所定の画像音声情報を含む映像コンテンツに対しても本技術を適用することが考えられる。例えば、所定のＣＭや広告情報を含む映画やその他のソフトコンテンツが記録された記録媒体を再生する場合に本技術の処理を適用することも考えられる。その場合には、図３におけるディスクドライブ部２７０で所定の映像コンテンツを再生する。
【０１５９】
なお、前記映像コンテンツは音声情報を含まない場合も考えられる。さらに、ネットワーク上における所定のサーバに蓄積されている映像コンテンツをストリーミングする場合や、所定のローカルストレージにダウンロードした後、再生する場合に本技術の処理を適用することも考えられる。その場合には、図３におけるネットワークＩ／Ｆ２１０を介して所定のコンテンツにアクセスしたり、記録媒体２３０をローカルストレージとして所定のコンテンツをダウンロードして記録する。
【０１６０】
ここで上記映像コンテンツは、所定のコンテンツにおける一部の所定シーン区間とすることも考えられる。例えば、ある番組コンテンツにおいて所定の芸能人が出演している番組シーンや番組コーナーあるいはＣＭ区間とすることも考えられる。
【０１６１】
なお、以下のような構成も本開示の技術的範囲に属する。
（１）
所定の映像コンテンツに関連する関連コンテンツを取得する関連コンテンツ取得部と、
前記所定の映像コンテンツが録画された後に前記関連コンテンツが表示されるように制御する表示制御部と、
を備える、表示制御装置。
（２）
前記関連コンテンツ取得部は、録画対象を選択するための録画選択情報に応じて前記所定の映像コンテンツが録画対象として選択された場合、前記録画選択情報に応じた前記関連コンテンツを取得する、
前記（１）に記載の表示制御装置。
（３）
前記関連コンテンツ取得部は、再生対象を選択するための再生選択情報に応じて前記所定の映像コンテンツが再生対象として選択された場合、前記再生選択情報に応じた前記関連コンテンツを取得する、
前記（１）に記載の表示制御装置。
（４）
前記関連コンテンツ取得部は、事前登録情報に応じて前記所定の映像コンテンツが録画対象として選択された場合、前記事前登録情報に応じた前記関連コンテンツを取得する、
前記（１）に記載の表示制御装置。
（５）
前記関連コンテンツ取得部は、前記所定の映像コンテンツのメタデータに応じた前記関連コンテンツを取得する、
前記（１）に記載の表示制御装置。
（６）
前記関連コンテンツ取得部は、前記所定の映像コンテンツに関連する関連コンテンツとして再生対象の映像コンテンツに関連する関連コンテンツを取得する、
前記（１）〜（５）のいずれか一項に記載の表示制御装置。
（７）
前記関連コンテンツ取得部は、前記所定の映像コンテンツに関連する関連コンテンツとして最近に録画された所定の映像コンテンツに関連する関連コンテンツを取得する、
前記（１）〜（５）のいずれか一項に記載の表示制御装置。
（８）
前記表示制御部は、再生対象の映像コンテンツの前に前記関連コンテンツを挿入することにより前記再生対象の映像コンテンツに続いて前記関連コンテンツが表示されるように制御する、
前記（１）に記載の表示制御装置。
（９）
前記関連コンテンツ取得部は、再生対象の映像コンテンツに映像セグメントが含まれる場合、前記番組セグメントに関連する関連セグメントを取得し、
前記表示制御部は、前記所定の映像セグメントの表示タイミングに応じたタイミングにより前記関連セグメントが表示されるように制御する、
前記（１）に記載の表示制御装置。
（１０）
前記表示制御部は、再生対象の映像コンテンツを選択するための選択画面の所定位置に前記関連コンテンツが表示されるように制御する、
前記（１）に記載の表示制御装置。
（１１）
前記表示制御部は、再生対象の映像コンテンツに対する操作画面の所定位置に前記関連コンテンツが表示されるように制御する、
前記（１）に記載の表示制御装置。
（１２）
前記表示制御部は、前記所定の映像コンテンツに関連する関連コンテンツが複数存在する場合、当該複数の関連コンテンツそれぞれの優先順位を特定し、当該複数の関連コンテンツそれぞれが対応する優先順位に応じた位置に当該複数の関連コンテンツそれぞれが表示されるように制御する、
前記（１）に記載の表示制御装置。
（１３）
前記表示制御部は、前記所定の映像コンテンツの選択に利用された所定の情報に基づいて、前記複数の関連コンテンツそれぞれの優先順位を特定する、
前記（１２）に記載の表示制御装置。
（１４）
前記関連コンテンツ取得部は、前記所定の映像コンテンツに対して所定の認識処理が施された結果として得られた出演者に関連する関連コンテンツを取得する、
前記（１）に記載の表示制御装置。
（１５）
前記関連コンテンツ取得部は、前記所定の映像コンテンツに対する視聴者のコメントから抽出された抽出情報に関連する関連コンテンツを取得する、
前記（１）に記載の表示制御装置。
（１６）
前記表示制御部は、前記所定の映像コンテンツに含まれる広告コンテンツが早送り再生された場合には、当該広告コンテンツを示す情報が表示されるように制御する、
前記（１）に記載の表示制御装置。
（１７）
前記表示制御部は、前記所定の映像コンテンツに含まれる広告コンテンツが所定の条件を満たす場合には、当該広告コンテンツが表示されるように制御し、前記所定の条件を満たさない場合には、当該広告コンテンツの表示をスキップさせる、
前記（１）に記載の表示制御装置。
（１８）
前記表示制御部は、前記関連コンテンツが表示されるように制御した後、前記所定の映像コンテンツの再生中に前記表示制御装置が所定範囲外のサイトにアクセスした場合には、前記所定の映像コンテンツの再生が停止されるように制御する、
前記（１）に記載の表示制御装置。
（１９）
所定の映像コンテンツが録画されるように制御する記録制御部と、
前記所定の映像コンテンツが表示されるように制御する表示制御部と、
を備え、
前記記録制御部により前記所定の映像コンテンツが録画された後に前記所定の映像コンテンツに関連する関連コンテンツが表示されるように制御される、
記録制御装置。
（２０）
所定の映像コンテンツに関連する関連コンテンツを取得することと、
前記所定の映像コンテンツが録画された後に前記関連コンテンツが表示されるように制御することと、
を含む、表示制御方法。
【符号の説明】
【０１６２】
１      表示制御システム
１０    タブレット（表示制御装置）
２０    本体（記録制御装置）
３０    表示装置
４０    サーバ系
４１    関連コンテンツサーバ
４２    後メタサーバ
５０    アクセスポイント
６０    ネットワーク
１３１  記録制御部
１３２  情報処理部
１３３  関連コンテンツ取得部
１３４  再生処理部
１３５  表示制御部
１３６  タッチパネル入力処理部
１３７  画像音声特徴抽出部
２４１  記録制御部
２４２  情報処理部
２４３  再生処理部
２４４  表示制御部
２４５  画像音声特徴抽出部
【図１】
2014057246.tif 000003
【図２】
2014057246.tif 000004
【図３】
2014057246.tif 000005
【図４】
2014057246.tif 000006
【図５】
2014057246.tif 000007
【図６】
2014057246.tif 000008
【図７】
2014057246.tif 000009
【図８】
2014057246.tif 000010
【図９】
2014057246.tif 000011
【図１０】
2014057246.tif 000012
【図１１】
2014057246.tif 000013
【図１２】
2014057246.tif 000014
【図１３】
2014057246.tif 000015
【図１４】
2014057246.tif 000016
【図１５】
2014057246.tif 000017
【図１６】
2014057246.tif 000018
【図１７】
2014057246.tif 000019
【図１８】
2014057246.tif 000020
【図１９】
2014057246.tif 000021
【図２０】
2014057246.tif 000022
【図２１】
2014057246.tif 000023
【図２２】
2014057246.tif 000024
【図２３】
2014057246.tif 000025